(57)【要約】【課題】本発明の課題は、映像コンテンツの再生画面に対応した評価情報や感想情報を閲覧することを可能とする映像コンテンツ閲覧システムを提供することである。【解決手段】映像コンテンツサーバ装置と閲覧サーバ装置と感想情報サーバ装置とにネットワーク接続されて、閲覧者が映像コンテンツを閲覧する評価感想情報参照型映像表示装置は、コンテンツ識別情報を含む映像コンテンツ送信要求を発行して、映像コンテンツサーバ装置から閲覧サーバ装置を中継させて、映像コンテンツデータを受信する映像コンテンツ受信手段と、コンテンツ識別情報を含む評価感想情報送信要求を発行して、感想情報サーバ装置から閲覧サーバ装置を中継させて、評価データ群を受信する評価データ受信手段と、を備えて、映像コンテンツ画面とこの画面の評価データを同期させて表示させる、ことを特徴とする評価感想情報を利用した映像コンテンツ閲覧システムである。【選択図】図１
2007151057.tif 000002
【特許請求の範囲】
【請求項１】
閲覧者が映像コンテンツを閲覧する評価感想情報参照型映像表示装置と閲覧サーバ装置と評価感想情報サーバ装置と映像コンテンツサーバ装置とがネットワークで接続されて構成される評価感想情報を利用した映像コンテンツ閲覧システムであって、
前記評価感想情報参照型映像表示装置は、
時刻情報とコンテンツ識別情報とを含む評価データと、コンテンツ識別情報を含む映像コンテンツデータを記憶する記憶手段と、
コンテンツ識別情報を含む映像コンテンツ送信要求を発行して、映像コンテンツデータを受信する映像コンテンツ受信手段と、
受信した映像コンテンツデータを、再生表示する映像コンテンツ再生手段と、
コンテンツ識別情報を含む評価感想情報送信要求を発行して、評価データ群を受信する評価データ受信手段と、
再生表示される映像コンテンツ画面に同期して、この画面に対応する評価データを全て選択して、前記選択された評価データの内容を表示する評価感想情報表示手段と、
を備える表示装置であって、
前記閲覧サーバ装置は、
前記映像コンテンツ送信要求を受け付けて、これを転送して、映像コンテンツデータの返信を受けて、これを送信する映像コンテンツデータ中継手段と、
前記評価感想情報送信要求を受け付けて、これを転送して、評価データ群の返信を受けて、これを送信する評価データ中継手段と、
を備えるサーバ装置であって、
評価感想情報サーバ装置は、
コンテンツ識別情報を含んだ評価データ群を記憶する記憶手段と、
前記評価感想情報送信要求を受け付けて、これに含まれるコンテンツ識別情報に対応する評価データを全て選択して、返信する評価データ返信手段と、
を備えるサーバ装置であって、
映像コンテンツサーバ装置は、
少なくとも1つの映像コンテンツデータを記憶する記憶手段と、
前記映像コンテンツ送信要求を受け付けて、これに含まれるコンテンツ識別情報に対応する映像コンテンツデータを選択して、返信する映像コンテンツデータ返信手段と、
を備えるサーバ装置であって、
評価感想情報参照型映像表示装置において、映像コンテンツ画面とこの画面の評価感想情報を同期させて表示させる、
ことを特徴とする評価感想情報を利用した映像コンテンツ閲覧システム。
【請求項２】
閲覧者が映像コンテンツを閲覧する評価感想情報参照型映像表示装置と評価感想情報サーバ装置と映像コンテンツサーバ装置とがネットワークで接続されて構成される評価感想情報を利用した映像コンテンツ閲覧システムであって、
前記評価感想情報参照型映像表示装置は、
時刻情報とコンテンツ識別情報とを含む評価データと、コンテンツ識別情報を含む映像コンテンツデータを記憶する記憶手段と、
コンテンツ識別情報を含む映像コンテンツ送信要求を発行して、映像コンテンツデータを受信する映像コンテンツ受信手段と、
受信した映像コンテンツデータを、再生表示する映像コンテンツ再生手段と、
コンテンツ識別情報を含む評価感想情報送信要求を発行して、評価データ群を受信受する評価データ受信手段と、
再生表示される映像コンテンツ画面に同期して、この画面に対応する評価データを全て選択して、前記選択された評価データの内容を表示する評価感想情報表示手段と、
を備える表示装置であって、
映像コンテンツサーバ装置は、
少なくとも1つの映像コンテンツデータを記憶する記憶手段と、
前記映像コンテンツ送信要求を受け付けて、これに含まれるコンテンツ識別情報に対応する映像コンテンツデータを選択して、返信する映像コンテンツデータ返信手段と、
を備えるサーバ装置であって、
評価感想情報参照型映像表示装置において、映像コンテンツ画面とこの画面の評価感想情報を同期させて表示させる、
ことを特徴とする評価感想情報を利用した映像コンテンツ閲覧システム。
【請求項３】
前記評価感想情報参照型映像表示装置は、
閲覧者から評価感想情報の入力を受け付けて、その内容を含んだ評価データ登録要求を、前記閲覧サーバ装置、または、前記評価感想情報参照型映像表示装置に送信する評価データ作成手段
を備える表示装置であって、
前記評価感想情報サーバ装置は、
前記評価データ登録要求を、前記閲覧サーバ装置の中継を経て、または、前記評価感想情報参照型映像表示装置から直接受信して、その内容である評価データを所定の記憶領域に記憶させて、この評価データの登録完了応答を返信する評価データ登録手段
を備えるサーバ装置である、
ことを特徴とする請求項１、または、請求項２のいずれか一項に記載の評価感想情報を利用した映像コンテンツ閲覧システム。
【請求項４】
評価感想情報参照型映像表示装置は、
前記保持された評価データのコンテンツ識別情報と時刻情報を、評価再生ボタンに関連付けて、この評価再生ボタンを含む評価一覧画面を作成して、表示する評価一覧表示手段と、
選択された評価再生ボタンのコンテンツ識別情報と時刻情報を取得して、これらを含む指定画面送信要求を作成して、これを発行する指定画面送信要求手段と、
映像コンテンツ画面データを受信して、これを再生表示する映像コンテンツ途中再生手段と、
を備える表示装置であって、
閲覧サーバ装置は、前記指定画面送信要求を受け付けて、これに含まれるコンテンツ識別情報を取得して、この識別情報を含む映像コンテンツ送信要求を発行して、映像コンテンツデータを受信する指定画面送信要求受付手段と、
前記受信した映像コンテンツデータから時刻情報を含む映像コンテンツ画面データを作成する映像コンテンツ画面データ作成手段と、
指定画面送信要求の時刻情報と一致する時刻情報の映像コンテンツ画面データを送信する指定画面データ送信手段と、
を備えるサーバ装置である、ことを特徴とする請求項１から、請求項３のいずれか一項に記載の評感想情報を利用した映像コンテンツ閲覧システム。
【請求項５】
時刻情報とコンテンツ識別情報とを含む評価データと、コンテンツ識別情報を含む映像コンテンツデータとを利用する映像コンテンツ閲覧方法であって、
コンテンツ識別情報を含む映像コンテンツ送信要求を発行して、映像コンテンツデータを受信する映像コンテンツ受信ステップと、
受信した映像コンテンツデータを、再生表示する映像コンテンツ再生ステップと、
コンテンツ識別情報を含む評価感想情報送信要求を発行して、評価データ群を受信取得する評価感想情報受信ステップと、
再生表示された映像コンテンツ画面に同期して、この画面に対応する評価データを全て選択して、前記選択された評価データの内容を表示する評価感想情報表示ステップと、
を含んだ手順でなされることを特徴とする評価感想情報を利用した映像コンテンツ閲覧方法。
【請求項６】
評価データを作成して、送信する評価データ作成ステップと、
前記送信された評価データを受信して、これを所定の記憶領域に記憶する評価データ登録ステップと、
この評価データの登録完了応答を送信する評価データ登録完了応答ステップと、
を含んだ手順でなされることを特徴とする請求項５に記載の評価感想情報を利用した映像コンテンツ閲覧方法。
【請求項７】
前記受信取得された評価データのコンテンツ識別情報と時刻情報とを評価再生ボタンに関連付けて、この評価再生ボタンを含む評価一覧画面を作成して、表示する評価一覧表示ステップと、
選択された評価再生ボタンのコンテンツ識別情報と時刻情報を取得して、これらを含む指定画面送信要求を作成して、これを送信する指定画面送信要求ステップと、
前記指定画面送信要求を受け付けて、これに含まれるコンテンツ識別情報を取得して、この識別情報を含む映像コンテンツ送信要求を発行して、映像コンテンツデータを受信する指定画面送信要求受付ステップと、
前記受信した映像コンテンツデータから時刻情報を含む映像コンテンツ画面データを作成する映像コンテンツ画面作成ステップと、
指定画面送信要求の時刻情報と一致する時刻情報の映像コンテンツ画面データを送信する指定画面送信ステップと、
映像コンテンツ画面データを受信して、これを再生表示する映像コンテンツ途中再生ステップと、
を含んだ手順でなされることを特徴とする請求項５、または、請求項６に記載の評価感想情報を利用した映像コンテンツ閲覧方法。
【請求項８】
閲覧者が映像コンテンツを閲覧する評価感想情報参照型映像表示装置と閲覧サーバ装置と評価感想情報サーバ装置と映像コンテンツサーバ装置とがネットワークで接続されて構成される評価感想情報を利用した映像コンテンツ閲覧システムであって、
前記評価感想情報参照型映像表示装置は、
コンテンツ識別情報を含む映像コンテンツ送信要求を発行して、映像コンテンツ再生データを受信して、表示する映像コンテンツ再生手段と、
コンテンツ識別情報を含む評価感想情報送信要求を発行して、評価感想情報表示データを受信して、表示する評価感想情報表示手段と、
を備える表示装置であって、
前記閲覧サーバ装置は、
時刻情報とコンテンツ識別情報とを含む評価データと、コンテンツ識別情報を含む映像コンテンツデータと、を記憶する記憶手段と、
前記映像コンテンツ送信要求を受け付けて、これを転送して、映像コンテンツデータの返信を受けて、映像コンテンツ画面を再生表示させる映像コンテンツ再生データを作成して送信する映像コンテンツ再生データ送信手段と、
前記評価感想情報送信要求を受け付けて、これを転送して、評価データ群の返信を受けて、再生表示される映像コンテンツ画面に同期して、この画面に対応する評価データを選択して、評価感想情報表示データを作成して送信する評価感想情報表示データ送信手段と、
を備えるサーバ装置であって、映像コンテンツサーバ装置は、少なくとも1つの映像コンテンツデータを記憶する記憶手段と、
前記映像コンテンツ送信要求を受け付けて、これに含まれるコンテンツ識別情報に対応する映像コンテンツデータを選択して、返信する映像コンテンツデータ返信手段と、
を備えるサーバ装置であって、
評価感想情報サーバ装置は、
コンテンツ識別情報を含んだ評価データ群を記憶する記憶手段と、
前記評価感想情報送信要求を受け付けて、これに含まれるコンテンツ識別情報に対応する評価データを全て選択して、返信する評価データ返信手段と、
を備えるサーバ装置である、
ことを特徴とする評価感想情報を利用した映像コンテンツ閲覧システム。
【請求項９】
前記評価感想情報参照型映像表示装置は、
検索一覧表示要求を発行して、評価データを含む検索一覧表示データを受信して、表示する検索一覧表示手段と、
評価データのコンテンツ識別情報と時刻情報を含む指定画面送信要求を発行する指定画面送信要求手段と、
を備える表示装置であって、
前記閲覧サーバ装置は、
検索一覧表示要求を受け付けて、これを転送して、評価データ群の返信を受けて、検索一覧表示データを作成して送信する検索一覧表示データ送信手段と、
指定画面送信要求を受け付けて、この映像コンテンツ再生画面指示の時刻情報に一致する時刻情報から所定の時間だけ、または、この映像コンテンツ再生画面指示の時刻情報を挟む所定の時間だけ、再生表示される映像コンテンツ再生データを作成して送信する指定画面送信要求受付手段と、
を備えるサーバ装置であって、
前記評価感想情報サーバ装置は、
前記評価データ返信手段が、検索一覧表示要求を受け付けて、これに対応する評価データを全て選択して、送信する、
サーバ装置である、
ことを特徴とする請求項８に記載の評価感想情報を利用した映像コンテンツ閲覧システムである。
【請求項１０】
前記評価感想情報参照型映像表示装置は、
前記評価感想情報表示手段が、閲覧者が入力した選択条件とコンテンツ識別情報を受け付けて、これを含んだ評価感想情報送信要求を発行して、評価感想情報表示データを受信する、
表示装置であって、
前記閲覧サーバ装置は、
前記評価感想情報表示データ送信手段が、前記選択条件とコンテンツ識別情報を含んだ評価感想情報送信要求を受け付けて、これを転送して、評価データ群の返信を受けて、再生表示される映像コンテンツ画面に同期して、この画面に対応する評価データを選択して、評価感想情報表示データを作成して送信する、
サーバ装置であって、
評価感想情報サーバ装置は、
選択条件とコンテンツ識別情報に関連付けられた評価データ群を記憶する記憶手段、
を備えて、
前記評価データ返信手段が、前記選択条件とコンテンツ識別情報を含んだ評価感想情報送信要求を受け付けて、この選択条件とコンテンツ識別情報に対応する評価データを全て選択して、返信する、サーバ装置である、
ことを特徴とする請求項８、または、請求項９に記載の評価感想情報を利用した映像コンテンツ閲覧システム。
【請求項１１】
前記評価感想情報参照型映像表示装置は、
閲覧者が入力した評価感想情報を受け付けて、これを含んだ評価データ登録要求を、前記閲覧サーバ装置に送信する評価データ作成手段、
を備える表示装置であって、
前記評価感想情報サーバ装置は、
前記評価データ登録要求を、前記閲覧サーバ装置の中継を経て、受信して、その内容である評価データを所定の記憶領域に記憶させて、この評価データの登録完了応答を返信する評価データ登録手段、
を備えるサーバ装置である、
ことを特徴とする請求項８から、請求項１０のいずれか1項に記載の評価感想情報を利用した映像コンテンツ閲覧システム。
【請求項１２】
前記評価感想情報参照型映像表示装置は、
閲覧者が入力した時刻情報とコンテンツ識別情報を含んだ評価画面指定情報を受け付けて、これを保持する評価画面指定手段と、
閲覧者が入力した評価感想情報を受け付けて、これと、前記保持した評価画面指定情報を含んだ評価データ登録要求を、前記閲覧サーバ装置に送信する評価データ作成手段と、
を備えることを特徴とする請求項１１に記載の評価感想情報を利用した映像コンテンツ閲覧システム。
【請求項１３】
時刻情報とコンテンツ識別情報とを含む評価データと、コンテンツ識別情報を含む映像コンテンツデータと、を利用する映像コンテンツ閲覧方法であって、
コンテンツ識別情報を含む映像コンテンツ送信要求を発行する映像コンテンツ送信要求発行ステップと、
前記映像コンテンツ送信要求を受け付けて、これに含まれるコンテンツ識別情報に対応する映像コンテンツデータから、映像コンテンツ画面を再生表示させる映像コンテンツ再生データを作成して送信する映像コンテンツ再生データ送信ステップと、
映像コンテンツ再生データを受信して、表示する映像コンテンツ再生ステップと、
コンテンツ識別情報を含む評価感想情報送信要求を発行する評価感想情報送信要求発行ステップと、
前記評価感想情報送信要求を受け付けて、これに含まれるコンテンツ識別情報に対応する評価データ群から、再生表示される映像コンテンツ画面に同期して、この画面に対応する評価データを選択して、評価感想情報表示データを作成して送信する評価感想情報表示データ送信ステップと、
評価感想情報表示データを受信して、表示する評価感想情報表示ステップと、
を含んだ手順でなされることを特徴とする評価感想情報を利用した映像コンテンツ閲覧方法。
【請求項１４】
検索一覧表示要求を発行する検索一覧表示要求発行ステップと、
検索一覧表示要求を受け付けて、評価感想情報データベースを検索して、評価データを取得して、評価データを含む検索一覧表示データを作成して送信する評価データ送信ステップと、
評価データを含む検索一覧表示データを受信して、表示する検索一覧表示ステップと、
評価データのコンテンツ識別情報と時刻情報を含む指定画面送信要求を発行する指定画面送信要求ステップと、
指定画面送信要求を受け付けて、この映像コンテンツ再生画面指示の時刻情報に一致する時刻情報から所定の時間だけ、または、この映像コンテンツ再生画面指示の時刻情報を挟む所定の時間だけ、再生表示される映像コンテンツ再生データを作成して送信する指定画面送信要求受付ステップと、
を含んだ手順でなされることを特徴とする請求項１３に記載の評価感想情報を利用した映像コンテンツ閲覧方法。
【請求項１５】
前記評価感想情報送信要求発行ステップが、閲覧者が入力した選択条件とコンテンツ識別情報を受け付けて、これを含んだ評価感想情報送信要求を発行して、
前記評価感想情報表示データ送信ステップが、前記選択条件とコンテンツ識別情報を含んだ評価感想情報送信要求を受け付けて、この選択条件とコンテンツ識別情報に対応する評価データ群から、再生表示される映像コンテンツ画面に同期して、この画面に対応する評価データを選択して、評価感想情報表示データを作成して送信する、
ことを特徴とする請求項１３、または、請求項１４に記載の評価感想情報を利用した映像コンテンツ閲覧方法。
【請求項１６】
評価データを作成して、送信する評価データ作成ステップと、
前記送信された評価データを受信して、これを所定の記憶領域に記憶する評価データ登録ステップと、
この評価データの登録完了応答を送信する評価データ登録完了応答ステップと、
を含んだ手順でなされることを特徴とする請求項１３から、請求項１５のいずれか1項に記載の評価感想情報を利用した映像コンテンツ閲覧方法。
【請求項１７】
コンピュータに組込むことによって、コンピュータを請求項１から、請求項４、または、請求項８から、請求項１２のいずれか１項に記載の評価感想情報を利用した映像コンテンツ閲覧システムとして動作させるコンピュータプログラム。
【請求項１８】
請求項１７に記載のコンピュータプログラムを記録したコンピュータ読取り可能な記録媒体。
r 2セ8c;ＭＳ 明朝;Century;Courier New;
【発明の詳細な説明】
【技術分野】
【０００１】
本発明は、通信網を用いて、映像再生クライアント装置に、視聴者が登録した評価情報や感想情報を付けて映像コンテンツを配信するサービスシステムに関するものである。
【背景技術】
【０００２】
従来より、インターネットを利用したコンテンツ閲覧では、視聴者が興味のあるコンテンツ候補を検索して、所望のコンテンツを入手していた。
【０００３】
たとえば、特許文献１には、購入したい商品を正確に判断するために、商品の評価情報や感想情報を閲覧できるインターネットショッピングを提供する技術が開示されている。
（従来技術１）
【特許文献１】特開２００４−２０６４１４号公報（８〜１１頁、図１，２、４）また、特許文献２には、ネットワークを利用して閲覧できるコンテンツに対して、会員が、評価情報や感想情報を登録したり、この情報を閲覧したり、あるいは、登録した評価情報や感想情報を審査した結果を閲覧するコンテンツ閲覧システムを提供する技術が開示されている。（従来技術２）
【特許文献２】特開２００１−２４３３１０号公報（５〜８頁、図１、６）
【発明の開示】
【発明が解決しようとする課題】
【０００４】
しかし、従来技術１や従来技術２では、映像コンテンツの評価情報や感想情報を、映像コンテンツの再生画面に対応させて表示させることは不可能であった。
【０００５】
本発明はこのような従来技術を考慮してなされたものであって、本発明の課題は、映像コンテンツの再生画面に対応した評価情報や感想情報を閲覧することを可能とする映像コンテンツ閲覧システムを提供することである。
【課題を解決するための手段】
【０００６】
本発明は、以下のような解決手段により、前記課題を解決する。すなわち、請求項１に記載の発明は、閲覧者が映像コンテンツを閲覧する評価感想情報参照型映像表示装置と閲覧サーバ装置と評価感想情報サーバ装置と映像コンテンツサーバ装置とがネットワークで接続されて構成される評価感想情報を利用した映像コンテンツ閲覧システムであって、前記評価感想情報参照型映像表示装置は、時刻情報とコンテンツ識別情報とを含む評価データと、コンテンツ識別情報を含む映像コンテンツデータを記憶する記憶手段と、コンテンツ識別情報を含む映像コンテンツ送信要求を発行して、映像コンテンツデータを受信する映像コンテンツ受信手段と、受信した映像コンテンツデータを、再生表示する映像コンテンツ再生手段と、コンテンツ識別情報を含む評価感想情報送信要求を発行して、評価データ群を受信する評価データ受信手段と、再生表示される映像コンテンツ画面に同期して、この画面に対応する評価データを全て選択して、前記選択された評価データの内容を表示する評価感想情報表示手段と、を備える表示装置であって、前記閲覧サーバ装置は、前記映像コンテンツ送信要求を受け付けて、これを転送して、映像コンテンツデータの返信を受けて、これを送信する映像コンテンツデータ中継手段と、前記評価感想情報送信要求を受け付けて、これを転送して、評価データ群の返信を受けて、これを送信する評価データ中継手段と、を備えるサーバ装置であって、評価感想情報サーバ装置は、コンテンツ識別情報を含んだ評価データ群を記憶する記憶手段と、前記評価感想情報送信要求を受け付けて、これに含まれるコンテンツ識別情報に対応する評価データを全て選択して、返信する評価データ返信手段と、を備えるサーバ装置であって、映像コンテンツサーバ装置は、少なくとも1つの映像コンテンツデータを記憶する記憶手段と、前記映像コンテンツ送信要求を受け付けて、これに含まれるコンテンツ識別情報に対応する映像コンテンツデータを選択して、返信する映像コンテンツデータ返信手段と、を備えるサーバ装置であって、評価感想情報参照型映像表示装置において、映像コンテンツ画面とこの画面の評価感想情報を同期させて表示させる、ことを特徴とする評価感想情報を利用した映像コンテンツ閲覧システムである。
【０００７】
したがって、評価感想情報参照型映像表示装置において、映像コンテンツ画面が持つ時刻情報をキーにして、保持している評価データ群を参照して、前記キーと一致する時刻情報の評価データを取得して、その内容を表示することで、閲覧者は、閲覧中の画面に対する他の閲覧者の評価や感想の内容を知ることができる。
【０００８】
請求項２に記載の発明は、閲覧者が映像コンテンツを閲覧する評価感想情報参照型映像表示装置と評価感想情報サーバ装置と映像コンテンツサーバ装置とがネットワークで接続されて構成される評価感想情報を利用した映像コンテンツ閲覧システムであって、前記評価感想情報参照型映像表示装置は、時刻情報とコンテンツ識別情報とを含む評価データと、コンテンツ識別情報を含む映像コンテンツデータを記憶する記憶手段と、コンテンツ識別情報を含む映像コンテンツ送信要求を発行して、映像コンテンツデータを受信する映像コンテンツ受信手段と、受信した映像コンテンツデータを、再生表示する映像コンテンツ再生手段と、コンテンツ識別情報を含む評価感想情報送信要求を発行して、評価データ群を受信受する評価データ受信手段と、再生表示される映像コンテンツ画面に同期して、この画面に対応する評価データを全て選択して、前記選択された評価データの内容を表示する評価感想情報表示手段と、を備える表示装置であって、映像コンテンツサーバ装置は、少なくとも1つの映像コンテンツデータを記憶する記憶手段と、前記映像コンテンツ送信要求を受け付けて、これに含まれるコンテンツ識別情報に対応する映像コンテンツデータを選択して、返信する映像コンテンツデータ返信手段と、を備えるサーバ装置であって、評価感想情報参照型映像表示装置において、映像コンテンツ画面とこの画面の評価感想情報を同期させて表示させる、ことを特徴とする評価感想情報を利用した映像コンテンツ閲覧システムである。
【０００９】
請求項３に記載の発明は、前記評価感想情報参照型映像表示装置は、閲覧者から評価感想情報の入力を受け付けて、その内容を含んだ評価データ登録要求を、前記閲覧サーバ装置、または、前記評価感想情報参照型映像表示装置に送信する評価データ作成手段を備える表示装置であって、前記評価感想情報サーバ装置は、前記評価データ登録要求を、前記閲覧サーバ装置の中継を経て、または、前記評価感想情報参照型映像表示装置から直接受信して、その内容である評価データを所定の記憶領域に記憶させて、この評価データの登録完了応答を返信する評価データ登録手段を備えるサーバ装置である、ことを特徴とする請求項１、または、請求項２のいずれか一項に記載の評価感想情報を利用した映像コンテンツ閲覧システムである。
【００１０】
請求項４に記載の発明は、評価感想情報参照型映像表示装置は、前記保持された評価データのコンテンツ識別情報と時刻情報を、評価再生ボタンに関連付けて、この評価再生ボタンを含む評価一覧画面を作成して、表示する評価一覧表示手段と、選択された評価再生ボタンのコンテンツ識別情報と時刻情報を取得して、これらを含む指定画面送信要求を作成して、これを発行する指定画面送信要求手段と、映像コンテンツ画面データを受信して、これを再生表示する映像コンテンツ途中再生手段と、を備える表示装置であって、閲覧サーバ装置は、前記指定画面送信要求を受け付けて、これに含まれるコンテンツ識別情報を取得して、この識別情報を含む映像コンテンツ送信要求を発行して、映像コンテンツデータを受信する指定画面送信要求受付手段と、前記受信した映像コンテンツデータから時刻情報を含む映像コンテンツ画面データを作成する映像コンテンツ画面データ作成手段と、指定画面送信要求の時刻情報と一致する時刻情報の映像コンテンツ画面データを送信する指定画面データ送信手段と、を備えるサーバ装置である、ことを特徴とする請求項１から、請求項３のいずれか一項に記載の評感想情報を利用した映像コンテンツ閲覧システムである。
【００１１】
請求項５に記載の発明は、時刻情報とコンテンツ識別情報とを含む評価データと、コンテンツ識別情報を含む映像コンテンツデータとを利用する映像コンテンツ閲覧方法であって、コンテンツ識別情報を含む映像コンテンツ送信要求を発行して、映像コンテンツデータを受信する映像コンテンツ受信ステップと、受信した映像コンテンツデータを、再生表示する映像コンテンツ再生ステップと、コンテンツ識別情報を含む評価感想情報送信要求を発行して、評価データ群を受信取得する評価感想情報受信ステップと、再生表示された映像コンテンツ画面に同期して、この画面に対応する評価データを全て選択して、前記選択された評価データの内容を表示する評価感想情報表示ステップと、を含んだ手順でなされることを特徴とする評価感想情報を利用した映像コンテンツ閲覧方法である。
【００１２】
請求項６に記載の発明は、評価データを作成して、送信する評価データ作成ステップと、前記送信された評価データを受信して、これを所定の記憶領域に記憶する評価データ登録ステップと、この評価データの登録完了応答を送信する評価データ登録完了応答ステップと、を含んだ手順でなされることを特徴とする請求項５に記載の評価感想情報を利用した映像コンテンツ閲覧方法である。
【００１３】
請求項７に記載の発明は、前記受信取得された評価データのコンテンツ識別情報と時刻情報とを評価再生ボタンに関連付けて、この評価再生ボタンを含む評価一覧画面を作成して、表示する評価一覧表示ステップと、選択された評価再生ボタンのコンテンツ識別情報と時刻情報を取得して、これらを含む指定画面送信要求を作成して、これを送信する指定画面送信要求ステップと、前記指定画面送信要求を受け付けて、これに含まれるコンテンツ識別情報を取得して、この識別情報を含む映像コンテンツ送信要求を発行して、映像コンテンツデータを受信する指定画面送信要求受付ステップと、前記受信した映像コンテンツデータから時刻情報を含む映像コンテンツ画面データを作成する映像コンテンツ画面作成ステップと、指定画面送信要求の時刻情報と一致する時刻情報の映像コンテンツ画面データを送信する指定画面送信ステップと、映像コンテンツ画面データを受信して、これを再生表示する映像コンテンツ途中再生ステップと、を含んだ手順でなされることを特徴とする請求項５、または、請求項６に記載の評価感想情報を利用した映像コンテンツ閲覧方法である。
【００１４】
請求項８に記載の発明は、閲覧者が映像コンテンツを閲覧する評価感想情報参照型映像表示装置と閲覧サーバ装置と評価感想情報サーバ装置と映像コンテンツサーバ装置とがネットワークで接続されて構成される評価感想情報を利用した映像コンテンツ閲覧システムであって、前記評価感想情報参照型映像表示装置は、コンテンツ識別情報を含む映像コンテンツ送信要求を発行して、映像コンテンツ再生データを受信して、表示する映像コンテンツ再生手段と、コンテンツ識別情報を含む評価感想情報送信要求を発行して、評価感想情報表示データを受信して、表示する評価感想情報表示手段と、を備える表示装置であって、前記閲覧サーバ装置は、時刻情報とコンテンツ識別情報とを含む評価データと、コンテンツ識別情報を含む映像コンテンツデータと、を記憶する記憶手段と、前記映像コンテンツ送信要求を受け付けて、これを転送して、映像コンテンツデータの返信を受けて、映像コンテンツ画面を再生表示させる映像コンテンツ再生データを作成して送信する映像コンテンツ再生データ送信手段と、前記評価感想情報送信要求を受け付けて、これを転送して、評価データ群の返信を受けて、再生表示される映像コンテンツ画面に同期して、この画面に対応する評価データを選択して、評価感想情報表示データを作成して送信する評価感想情報表示データ送信手段と、を備えるサーバ装置であって、映像コンテンツサーバ装置は、少なくとも1つの映像コンテンツデータを記憶する記憶手段と、前記映像コンテンツ送信要求を受け付けて、これに含まれるコンテンツ識別情報に対応する映像コンテンツデータを選択して、返信する映像コンテンツデータ返信手段と、を備えるサーバ装置であって、評価感想情報サーバ装置は、コンテンツ識別情報を含んだ評価データ群を記憶する記憶手段と、前記評価感想情報送信要求を受け付けて、これに含まれるコンテンツ識別情報に対応する評価データを全て選択して、返信する評価データ返信手段と、を備えるサーバ装置である、ことを特徴とする評価感想情報を利用した映像コンテンツ閲覧システムである。
【００１５】
つまり、閲覧サーバ装置は、映像コンテンツサーバ装置や評価感想情報サーバ装置から取得したデータを評価感想情報参照型映像表示装置の表示形式のデータに作成する。
【００１６】
請求項９に記載の発明は、前記評価感想情報参照型映像表示装置は、検索一覧表示要求を発行して、評価データを含む検索一覧表示データを受信して、表示する検索一覧表示手段と、評価データのコンテンツ識別情報と時刻情報を含む指定画面送信要求を発行する指定画面送信要求手段と、を備える表示装置であって、前記閲覧サーバ装置は、検索一覧表示要求を受け付けて、これを転送して、評価データ群の返信を受けて、検索一覧表示データを作成して送信する検索一覧表示データ送信手段と、指定画面送信要求を受け付けて、この映像コンテンツ再生画面指示の時刻情報に一致する時刻情報から所定の時間だけ、または、この映像コンテンツ再生画面指示の時刻情報を挟む所定の時間だけ、再生表示される映像コンテンツ再生データを作成して送信する指定画面送信要求受付手段と、を備えるサーバ装置であって、
前記評価感想情報サーバ装置は、前記評価データ返信手段が、検索一覧表示要求を受け付けて、これに対応する評価データを全て選択して、送信する、サーバ装置である、ことを特徴とする請求項８に記載の評価感想情報を利用した映像コンテンツ閲覧システムである。
【００１７】
請求項１０に記載の発明は、前記評価感想情報参照型映像表示装置は、記評価感想情報表示手段が、閲覧者が入力した選択条件とコンテンツ識別情報を受け付けて、これを含んだ評価感想情報送信要求を発行して、評価感想情報表示データを受信する、表示装置であって、前記閲覧サーバ装置は、前記評価感想情報表示データ送信手段が、前記選択条件とコンテンツ識別情報を含んだ評価感想情報送信要求を受け付けて、これを転送して、評価データ群の返信を受けて、再生表示される映像コンテンツ画面に同期して、この画面に対応する評価データを選択して、評価感想情報表示データを作成して送信する、サーバ装置であって、評価感想情報サーバ装置は、選択条件とコンテンツ識別情報に関連付けられた評価データ群を記憶する記憶手段、を備えて、前記評価データ返信手段が、前記選択条件とコンテンツ識別情報を含んだ評価感想情報送信要求を受け付けて、この選択条件とコンテンツ識別情報に対応する評価データを全て選択して、返信する、サーバ装置である、ことを特徴とする請求項８、または、請求項９に記載の評価感想情報を利用した映像コンテンツ閲覧システムである。
【００１８】
請求項１１に記載の発明は、前記評価感想情報参照型映像表示装置は、閲覧者が入力した評価感想情報を受け付けて、これを含んだ評価データ登録要求を、前記閲覧サーバ装置に送信する評価データ作成手段、を備える表示装置であって、前記評価感想情報サーバ装置は、前記評価データ登録要求を、前記閲覧サーバ装置の中継を経て、受信して、その内容である評価データを所定の記憶領域に記憶させて、この評価データの登録完了応答を返信する評価データ登録手段、を備えるサーバ装置である、ことを特徴とする請求項８から、請求項１０のいずれか1項に記載の評価感想情報を利用した映像コンテンツ閲覧システムである。
【００１９】
請求項１２に記載の発明は、前記評価感想情報参照型映像表示装置は、閲覧者が入力した時刻情報とコンテンツ識別情報を含んだ評価画面指定情報を受け付けて、これを保持する評価画面指定手段と、閲覧者が入力した評価感想情報を受け付けて、これと、前記保持した評価画面指定情報を含んだ評価データ登録要求を、前記閲覧サーバ装置に送信する評価データ作成手段と、を備えることを特徴とする請求項１１に記載の評価感想情報を利用した映像コンテンツ閲覧システムである。
【００２０】
請求項１３に記載の発明は、時刻情報とコンテンツ識別情報とを含む評価データと、コンテンツ識別情報を含む映像コンテンツデータと、を利用する映像コンテンツ閲覧方法であって、コンテンツ識別情報を含む映像コンテンツ送信要求を発行する映像コンテンツ送信要求発行ステップと、前記映像コンテンツ送信要求を受け付けて、これに含まれるコンテンツ識別情報に対応する映像コンテンツデータから、映像コンテンツ画面を再生表示させる映像コンテンツ再生データを作成して送信する映像コンテンツ再生データ送信ステップと、映像コンテンツ再生データを受信して、表示する映像コンテンツ再生ステップと、コンテンツ識別情報を含む評価感想情報送信要求を発行する評価感想情報送信要求発行ステップと、前記評価感想情報送信要求を受け付けて、これに含まれるコンテンツ識別情報に対応する評価データ群から、再生表示される映像コンテンツ画面に同期して、この画面に対応する評価データを選択して、評価感想情報表示データを作成して送信する評価感想情報表示データ送信ステップと、評価感想情報表示データを受信して、表示する評価感想情報表示ステップと、を含んだ手順でなされることを特徴とする評価感想情報を利用した映像コンテンツ閲覧方法である。
【００２１】
請求項１４に記載の発明は、検索一覧表示要求を発行する検索一覧表示要求発行ステップと、検索一覧表示要求を受け付けて、評価感想情報データベースを検索して、評価データを取得して、評価データを含む検索一覧表示データを作成して送信する評価データ送信ステップと、評価データを含む検索一覧表示データを受信して、表示する検索一覧表示ステップと、評価データのコンテンツ識別情報と時刻情報を含む指定画面送信要求を発行する指定画面送信要求ステップと、指定画面送信要求を受け付けて、この映像コンテンツ再生画面指示の時刻情報に一致する時刻情報から所定の時間だけ、または、この映像コンテンツ再生画面指示の時刻情報を挟む所定の時間だけ、再生表示される映像コンテンツ再生データを作成して送信する指定画面送信要求受付ステップと、を含んだ手順でなされることを特徴とする請求項１３に記載の評価感想情報を利用した映像コンテンツ閲覧方法である。
【００２２】
請求項１５に記載の発明は、前記評価感想情報送信要求発行ステップが、閲覧者が入力した選択条件とコンテンツ識別情報を受け付けて、これを含んだ評価感想情報送信要求を発行して、前記評価感想情報表示データ送信ステップが、前記選択条件とコンテンツ識別情報を含んだ評価感想情報送信要求を受け付けて、この選択条件とコンテンツ識別情報に対応する評価データ群から、再生表示される映像コンテンツ画面に同期して、この画面に対応する評価データを選択して、評価感想情報表示データを作成して送信する、ことを特徴とする請求項１３、または、請求項１４に記載の評価感想情報を利用した映像コンテンツ閲覧方法である。
【００２３】
請求項１６に記載の発明は、評価データを作成して、送信する評価データ作成ステップと、前記送信された評価データを受信して、これを所定の記憶領域に記憶する評価データ登録ステップと、この評価データの登録完了応答を送信する評価データ登録完了応答ステップと、を含んだ手順でなされることを特徴とする請求項１３から、請求項１５のいずれか1項に記載の評価感想情報を利用した映像コンテンツ閲覧方法である。
【００２４】
請求項１７に記載の発明は、コンピュータに組込むことによって、コンピュータを請求項１から、請求項４、または、請求項８から、請求項１２のいずれか１項に記載の評価感想情報を利用した映像コンテンツ閲覧システムとして動作させるコンピュータプログラムである。
【００２５】
請求項１８に記載の発明は、請求項１７に記載のコンピュータプログラムを記録したコンピュータ読取り可能な記録媒体である。
【発明の効果】
【００２６】
本願発明によれば、閲覧者は、映像コンテンツの再生画面に対応した評価情報や感想情報を閲覧して、他の閲覧者の意見や感想を参考にして、映像コンテンツを楽しむというこれまでにない鑑賞方法を可能にする。同時に、閲覧者は、閲覧した映像コンテンツの評価情報や感想情報を登録して、他の閲覧者に、情報を提供することが可能になる。また、評価情報や感想情報を閲覧して、映像コンテンツの画面を選択して再生することにより、映像コンテンツを効率的に鑑賞することが可能になる。
【発明を実施するための最良の形態】
【００２７】
以下、図面等を参照しながら、本発明の実施の形態について、詳しく説明する。図１は、本発明による評価感想情報を利用した映像コンテンツ閲覧システムの概念図である。本発明は、映像コンテンツの閲覧者が、視聴者が登録した映像コンテンツ画面の評価感想情報を参照しながら映像コンテンツを鑑賞する映像コンテンツ閲覧システムを提供するものである。評価感想情報を利用した映像コンテンツ閲覧システム１は、評価感想情報参照型映像表示装置１００と、閲覧サーバ装置３００と、映像コンテンツサーバ装置５００と、評価感想情報サーバ装置７００とが、ネットワーク９００で接続されて構成される。
【００２８】
映像コンテンツサーバ装置５００は、映像コンテンツデータ５９１を記憶する。評価感想情報サーバ装置７００は、評価データ７９１を記憶する。評価感想情報参照型映像表示装置１００は、閲覧サーバ装置３００を経由して、映像コンテンツサーバ装置５００から、映像コンテンツデータ５９１を取得して、映像コンテンツを再生表示する。評価感想情報参照型映像表示装置１００は、閲覧サーバ装置３００を経由して、映像コンテンツの評価データ７９１を取得して、映像コンテンツ画面に対応した評価データ７９１を選択して、再生画面に同期させて表示する。閲覧者が、再生表示中の映像コンテンツ画面の評価感想情報を入力すると、評価感想情報参照型映像表示装置１００は、映像コンテンツ画面に対応付けられた評価データ７９１を作成して、閲覧サーバ装置３００を経由して、評価感想情報サーバ装置７００に登録する。
【００２９】
なお、映像コンテンツサーバ装置５００からのコンテンツ配信経路は、閲覧サーバ装置３００を経由して配信しても良いし、評価感想情報参照型映像表示装置１００に、直接に、送信しても良い。このとき、映像コンテンツデータ５９１の再生方法は、データ受信完了後に再生を開始しても良いし、ストリーミング再生をしても良い。
【００３０】
図２は、評価感想情報を利用した映像コンテンツ閲覧システム１の大まかな処理の流れを説明する図である。
評価感想情報参照型映像表示装置１００は、閲覧サーバ装置３００に、「映像コンテンツ送信要求」、あるいは、「映像コンテンツの評価感想情報送信要求」を送信する（図２（ア））。閲覧サーバ装置３００は、「映像コンテンツ送信要求」、あるいは、「映像コンテンツの評価感想情報送信要求」を受信する（同（イ））。
【００３１】
閲覧サーバ装置３００は、映像コンテンツサーバ装置５００に、「映像コンテンツ送信要求」を送信する（同（カ））。映像コンテンツサーバ装置５００は、「映像コンテンツ送信要求」を受け付けて、閲覧サーバ装置３００に、該当する映像コンテンツを配信する（同（キ））。閲覧サーバ装置３００は、映像コンテンツを受信する（同（ク））。閲覧サーバ装置３００は、評価感想情報サーバ装置７００に、「映像コンテンツの評価感想情報送信要求」を送信する（同（サ））。
【００３２】
評価感想情報サーバ装置７００は、「映像コンテンツの評価感想情報送信要求」を受け付けて、この映像コンテンツの画面に対応付けられた評価データ７９１を全て選択して、閲覧サーバ装置３００に、返信する（同（シ））。閲覧サーバ装置３００は、少なくとも１つの評価データを受信する（同（ス））。
【００３３】
閲覧サーバ装置３００は、映像コンテンツと少なくとも１つの評価データを返信する（同（タ））。評価感想情報参照型映像表示装置１００は、映像コンテンツと評価データを受信して、動画映像を再生して、映像コンテンツ画面に対応した評価データ７９１を同期させて、表示する（同（チ））。
【００３４】
評価感想情報参照型映像表示装置１００は、閲覧サーバ装置３００に、映像コンテンツの画面に対応付けられた評価データを作成して、送信する（同（ナ））。閲覧サーバ装置３００は、この評価データを受信して、転送する（同（ニ））。評価感想情報サーバ装置７００は、この評価データを登録する（同（ヌ））。
【００３５】
図３は、本発明による評価感想情報を利用した映像コンテンツ閲覧システム１の全体構成図である。評価感想情報を利用した映像コンテンツ閲覧システム１は、閲覧者が映像コンテンツを閲覧する評価感想情報参照型映像表示装置１００と閲覧サーバ装置３００と評価感想情報サーバ装置７００と映像コンテンツサーバ装置５００とがネットワークで接続されて構成される。
【００３６】
前記評価感想情報参照型映像表示装置１００は、映像コンテンツ受信手段１２０と、映像コンテンツ再生手段１３０と、評価データ受信手段１４０と、評価感想情報表示手段１５０と、評価データ作成手段１６０と、記憶手段１９０とを備える。記憶手段１９０は、評価データ５９１と、映像コンテンツデータ７９１を記憶する。
【００３７】
評価データ７９１は、評価感想情報（たとえば、コメント文）と時刻情報（たとえば、タイムコード）と映像コンテンツ識別情報（たとえば、コンテンツＩＤ）とを含んだデータである。映像コンテンツデータ５９１は、コンテンツ識別情報を含んだデータである。
【００３８】
映像コンテンツ受信手段１２０は、コンテンツ識別情報を含む映像コンテンツ送信要求を送信して、映像コンテンツデータの返信を受ける。映像コンテンツ再生手段１３０は、受信した映像コンテンツデータから時刻情報を含む映像コンテンツ画面を生成して、再生表示する。評価データ受信手段１４０は、コンテンツ識別情報を含む評価感想情報送信要求を送信して、少なくとも1つの評価データの返信を受けて保存する。評価感想情報表示手段１５０は、再生表示される映像コンテンツ画面に同期して、この画面に対応する評価データを全て選択して、前記選択された評価データの評価感想情報を含む評価感想情報を表示する。
【００３９】
評価データ作成手段１６０は、閲覧者から評価感想情報（たとえば、コメント文）の入力を受け付けて、その内容を含んだ評価データを作成して、評価データ登録要求を、前記閲覧サーバ装置に送信する、また、前記送信した評価データを含む登録完了応答の返信を受けて、これに含まれる評価データを表示する。
【００４０】
映像コンテンツ受信手段１２０と、映像コンテンツ再生手段１３０と、評価データ受信手段１４０と、評価感想情報表示手段１５０と、評価データ作成手段１６０とは、評価感想情報参照型映像表示装置１００が内蔵するコンピュータプログラムである。記憶手段１９０は、評価感想情報参照型映像表示装置１００が内蔵するハードウェア・メモリーである。評価データ５９１と、映像コンテンツデータ７９１とは、プログラム可読なデータである。
【００４１】
前記閲覧サーバ装置３００は、映像コンテンツデータ中継手段３２０と、評価データ中継手段３４０と、評価データ登録転送手段３６０とを備える。
【００４２】
映像コンテンツデータ中継手段３２０は、前記映像コンテンツ送信要求を受け付けて、これを転送して、映像コンテンツデータの返信を受けて、これを送信する。評価データ中継手段３４０は、前記評価感想情報送信要求を受け付けて、これを転送して、少なくとも1つの評価データの返信を受けて、これらを送信する。評価データ登録転送手段３６０は、前記作成して送信された評価データを受信して、評価感想情報サーバ装置に転送して、登録完了応答の返信を受けてこれを転送する。
【００４３】
映像コンテンツデータ中継手段３２０と、評価データ中継手段３４０と、評価データ登録転送手段３６０とは、閲覧サーバ装置３００が内蔵するコンピュータプログラムである。
【００４４】
映像コンテンツサーバ装置５００は、映像コンテンツデータ返信手段５２０と、記憶手段５９０とを備える。記憶手段５９０は、映像コンテンツデータベース５９３を記憶する。
【００４５】
映像コンテンツデータベース５９３は、コンテンツ識別情報を含んだ映像コンテンツデータ５９１を記録する。
【００４６】
映像コンテンツデータ返信手段５２０は、前記映像コンテンツ送信要求を受け付けて、これに含まれるコンテンツ識別情報をキーにして、映像コンテンツデータベース５９３を参照して、前記キーと一致するコンテンツ識別情報の映像コンテンツデータ５９１を取得して、これを返信する。
【００４７】
映像コンテンツデータ返信手段５２０は、映像コンテンツサーバ装置５００が内蔵するコンピュータプログラムである。記憶手段５９０は、映像コンテンツサーバ装置５００が内蔵するハードウェア・メモリーである。映像コンテンツデータベース５９３は、プログラム可読なデータ集合体である。映像コンテンツデータ５９１は、プログラム可読なデータである。
【００４８】
評価感想情報サーバ装置７００は、評価データ返信手段７４０と、評価データ登録手段７６０と、記憶手段７９０とを備える。記憶手段７９０は、評価感想情報データベース７９３を記憶する。
【００４９】
評価感想情報データベース７９３は、評価感想情報と時刻情報と映像コンテンツ識別情報とを含んだ評価データ７９１を記録する。
【００５０】
評価データ返信手段７４０は、前記評価感想情報送信要求を受け付けて、これに含まれるコンテンツ識別情報をキーにして、評価感想情報データベース７９３を参照して、前記キーと一致するコンテンツ識別情報の評価データ７９１を、全て、取得して、これらを返信する。評価データ登録手段７６０は、前記評価データ登録要求を受信して、その内容である評価データを所定の記憶領域に記憶させて、評価データを含む登録完了応答を返信する。
【００５１】
評価データ返信手段７４０と、評価データ登録手段７６０とは、評価感想情報サーバ装置７００が内蔵するコンピュータプログラムである。記憶手段７９０は、評価感想情報サーバ装置７００が内蔵するハードウェア・メモリーである。評価感想情報データベース７９３は、プログラム可読なデータ集合体である。評価データ７９１は、プログラム可読なデータである。
【００５２】
図４は、 評価データの形式と例である。評価データ７９１は、コメントＩＤ７９１ａと、コンテンツＩＤ７９１ｂと、会員ＩＤ７９１ｃと、タイムコード７９１ｄと、コメント文７９１ｅと、コメント評価点７９１ｆとから構成されている。
【００５３】
コメントＩＤ７９１ａは、評価データを識別するユニークな文字列である。コンテンツＩＤ７９１ｂは、映像コンテンツを識別するユニークな文字列である。会員ＩＤ７９１ｃは、会員を識別するユニークな文字列である。タイムコード７９１ｄは、映像コンテンツの再生画面の時刻である。コメント文７９１ｅは、閲覧者が作成した文字列である。コメント評価点７９１ｆは、閲覧者が映像コンテンツの画面の評価に与えた５段階評価点の値である。
【００５４】
たとえば、コメントＩＤ７９１ａの値は、「001」であって、コンテンツＩＤ７９１ｂの値は、 「ItemＩＤ001」であって、会員ＩＤ７９１ｃの値は、「MemberＩＤ001」であって、タイムコード７９１ｄの値は、「03:02:30」（つまり、このコメント文は、映像コンテンツの開始時刻より、３時間２分３０秒の再生される画面に同期を取って表示される。）であって、コメント文７９１ｅの値は、「この商品の特徴は、…」であって、コメント評価点７９１ｆの値は、「★★☆☆☆」である。
【００５５】
図５は、評価感想情報参照型映像表示装置（たとえば、コンテンツ再生プレイヤー）の表示画面の例である。
コンテンツ再生プレイヤー１００の表示画面は、映像コンテンツ画面再生部１３０ａと評価感想情報表示部１５０ａとコメント文入力部１５０ｂとを備える。
【００５６】
映像コンテンツ画面再生部１３０ａは、受信した映像コンテンツデータ５９１から画面を生成して、再生表示する。コメント文表示部１５０ａは、評価データのコメント文７９１ｅを含んだ評価感想情報を表示する。コメント文入力部１５０ｂは、閲覧者がコメント文を作成して、入力ボタン１５０ｃを押すことで、入力される。
【００５７】
図６は、評価感想情報を利用した映像コンテンツ閲覧システム１における評価感想情報表示の通信手順の説明図である。
【００５８】
対象コンテンツの閲覧権を有する閲覧者は、コンテンツ再生プレイヤー１００から、コンテンツの再生を要求する（図６（ア））。コンテンツ再生プレイヤー１００は、閲覧サーバ装置３００に、コンテンツの再生を要求する（同（イ））。閲覧サーバ装置３００は、映像コンテンツサーバ装置５００に、該当コンテンツの配信を要求する（同（ウ））。映像コンテンツサーバ装置５００は、該当コンテンツを検索する（同（エ））。
【００５９】
映像コンテンツサーバ装置５００は、閲覧サーバ装置３００に、該当コンテンツ（映像データ）を配信する。但し、閲覧サーバ装置３００に配信せずに、直接、コンテンツ再生プレイヤー１００に配信してもかまわない（同（オ））。閲覧サーバ装置３００は該当コンテンツをコンテンツ再生プレイヤー１００に中継する（同（カ））。コンテンツ再生プレイヤー１００は、受け取ったコンテンツを再生する（同（キ））。閲覧者は、コンテンツを閲覧する（同（ク））。
【００６０】
閲覧者は、コンテンツを見ながら、コメント文７９１ｅの表示要求を行う（同（ケ））。但し、コメント文７９１ｅの表示要求は、コンテンツの再生要求と同時に行ってもかまわない。コンテンツ再生プレイヤー１００は、閲覧サーバ装置３００に、現在再生しているコンテンツに紐づく、全ての評価データ７９１（または一部）を要求する（同（コ））。閲覧サーバ装置３００は、評価感想情報サーバ装置７００に、対象となるコンテンツを識別するためのコンテンツＩＤを送信し、全ての評価データ７９１（または一部）を要求する（同（サ））。評価感想情報サーバ装置７００は、受け取ったコンテンツＩＤに基づいて、評価データ７９１を検索する（同（シ））。
【００６１】
評価感想情報サーバ装置７００は、閲覧サーバ装置３００に、該当する評価データ７９１を返信する（同（ス））。閲覧サーバ装置３００は、コンテンツ再生プレイヤー１００に、評価感想情報サーバ装置７００から受け取った評価データ７９１を中継する（同（ソ））。コンテンツ再生プレイヤー１００は、受け取った評価データ７９１の中から、再生しているコンテンツの時間情報に合わせて、該当する評価データ７９１を選択して、そのコメント文７９１ｅを表示する（同（タ））。閲覧者は、コメント文７９１ｅを閲覧する（同（ナ））。
【００６２】
なお、コメント文７９１ｅの表示方法は、該当時間に合わせて、表示欄下より次々と新しいコメント文７９１ｅが表示される方法でもかまわないし、前のコメント文７９１ｅを消して、新しいコメント文７９１ｅを表示する方法でもかまわない。また、コメント文７９１ｅの表示継続時間は、サービス提供社によって予め指定された時間でもかまわないし、或いは、評価データ７９１登録の際に指定された時間でもかまわないし、或いは、次のコメント文７９１ｅが表示されるまでの時間でもかまわない。
【００６３】
図７は、評価感想情報参照型映像表示装置の評価感想情報表示処理のフローチャートである。
（１）閲覧者が入力したコンテンツＩＤを含む映像コンテンツ再生指示を受け付けて、映像コンテンツ受信手段１２０は、入力された内容を含んだ映像コンテンツ送信要求を作成して、閲覧サーバ装置３００に送信する。（ステップＳ１００）
（２）映像コンテンツ受信手段１２０は、映像コンテンツデータ５９１を閲覧サーバ装置３００から受信する。（ステップＳ１１０）
（３）映像コンテンツ再生手段１３０は、受信した映像コンテンツデータ５９１から時刻情報を含む映像コンテンツ画面を生成して、表示する。（ステップＳ１２０）
（４）閲覧者が入力したコンテンツＩＤを含む評価感想情報の表示指示を受け付けて、評価データ受信手段１４０は、入力された内容を含んだ評価感想情報送信要求を作成して、閲覧サーバ装置３００に送信する。（ステップＳ１３０）
（５）評価データ受信手段１４０は、閲覧サーバ装置３００から該当する全ての評価データ７９１を受信して、保持する。（ステップＳ１４０）
（６）評価感想情報表示手段１５０は、再生中の映像コンテンツ画面から時刻情報を取得する。（ステップＳ１５０）
（７）前記評価感想情報表示手段１５０は、取得した時刻情報をキーにして、保持した評価データ７９１を参照して、前記キーと一致するタイムコード７９１ｄのコメント文７９１ｅを含んだ評価感想情報を作成して表示する。（ステップＳ１６０）
（８）映像コンテンツ再生手段１３０が映像コンテンツを再生中であれば、ステップＳ１５０に戻る。映像コンテンツが再生を完了していれば終了する。（ステップＳ１７０）
【００６４】
図８は、閲覧サーバ装置の評価感想情報表示処理のフローチャートである。
（１）映像コンテンツデータ中継手段３２０は、前記映像コンテンツ送信要求を受け付けて、これを映像コンテンツサーバ装置５００に転送する。（ステップＳ１０２）
（２）映像コンテンツデータ中継手段３２０は、映像コンテンツサーバ装置５００から、映像コンテンツデータ５９１の返信を受けて、これを評価感想情報参照型映像表示装置１００に送信する。（ステップＳ１０６）
（３）評価データ中継手段３４０は、前記評価感想情報送信要求を受け付けて、これを評価感想情報サーバ装置７００に転送する。（ステップＳ１３２）
（４）評価データ中継手段３４０は、評価感想情報サーバ装置７００から、評価データ７９１の返信を受けて、これを評価感想情報参照型映像表示装置１００に送信する。（ステップＳ１３６）
【００６５】
なお、コメント文７９１ｅを含んだ評価感想情報の表示方法としては、該当時間に合わせて、評価感想情報表示部１５０ａに表示された評価感想情報の後に、次々と新しいコメント文を追加して表示する方法でも良い。または、評価感想情報表示部１５０ａに表示された評価感想情報を消去して、新しい評価感想情報を表示する方法でもよい。また、評価感想情報を表示している時間は、予め指定された時間でも良い。或いは、評価感想情報を登録するときに指定された時間でも良い。或いは、次の評価感想情報が表示されるの時間でも良い。
【００６６】
図９は、評価感想情報を利用した映像コンテンツ閲覧システムにおける評価感想情報登録の通信手順の説明図である。対象コンテンツの閲覧権を有する閲覧者は、コンテンツ再生プレイヤー１００にて、コンテンツを再生する（図９（ア））。閲覧者は、評価データ７９１を登録したい任意のタイミングでコメント文７９１ｅをコメント文入力欄１５０ｂに入力する（同（イ））。
【００６７】
コメント文７９１ｅを入力した登録者は、「入力ボタン」１５０ｃが押す（同（ウ））。コンテンツ再生プレイヤー１００は「入力ボタン」１５０ｃが押されたタイミングで、評価データ７９１を閲覧サーバ装置３００に送信する（同（エ））。閲覧サーバ装置３００は評価データ７９１を受け付け、評価感想情報サーバ装置７００にこれの登録を依頼する（同（オ））。評価感想情報サーバ装置７００は評価データ７９１を登録・管理する（同（カ））。
【００６８】
評価感想情報サーバ装置７００は、評価データ７９１を登録した旨を閲覧サーバ装置３００に返答する（同（キ））。閲覧サーバ装置３００は、評価データ７９１の登録完了の旨を通知する（同（ク））。コンテンツ再生プレイヤー１００は登録が完了した評価データ７９１をプレイヤー内に含まれる、コメント文表示欄１５０ａに表示する（同（ケ））。閲覧者は、登録済みのコメント文７９１ｅを確認する（同（コ））。
【００６９】
図１０は、評価感想情報参照型映像表示装置の評価感想情報登録処理のフローチャートである。
（１）映像コンテンツ画面再生表示処理は、図７のＳ１２０と同じ。（ステップＳ２２０）閲覧者が評価感想情報表示画面１００ａのコメント文入力欄１５０ｂにコメント文を入力して、入力ボタン１５０ｃを押す。（ステップＳ２３０）
（２）評価データ作成手段１６０は、閲覧者が入力したコメント文７９１ｅを取得して、再生表示されている映像コンテンツ画面の時刻情報を取得して、これを含む評価データ７９１を作成して、この評価データを含む評価データ登録要求を閲覧サーバ装置３００に、送信する。（ステップＳ２４０）
（３）評価データ作成手段１６０は、登録完了応答を受信して、この登録完了応答に含まれる評価データのコメント文７９１ｅを取得して、これを含んだ評価感想情報を作成して表示する。（ステップＳ２５０）
【００７０】
映像コンテンツの場面において、過去に閲覧した視聴者の評価や感想のコメント文を閲覧することで、視聴者がその場面にどのような評価や感想を持ったかを知ることができるができる。
【００７１】
次に、評価感想情報（たとえば、コメント文７９１ｅ）を一覧表示させて、一覧表示の中から評価感想情報（コメント文）を選択することで、評価や感想した画面を再生させる例を説明する。
（変形例１）
図１１は、評価感想情報が一覧表示された映像コンテンツ閲覧システム１の構成図である。閲覧者が映像コンテンツを閲覧する評価感想情報参照型映像表示装置１００と閲覧サーバ装置３００と評価感想情報サーバ装置７００と映像コンテンツサーバ装置５００とがネットワークで接続されて構成される。
【００７２】
評価感想情報参照型映像表示装置１００は、映像コンテンツ途中再生手段１３５と評価データ一覧表示手段１７０と指定画面送信要求手段１８０と図３の評価感想情報参照型映像表示装置１００の手段とを備える。
【００７３】
閲覧サーバ装置３００は、指定画面送信要求受付手段３７５と、映像コンテンツ画面データ作成手段３７０と、指定画面データ送信手段３８０と、図３の閲覧サーバ装置３００と同じ手段とを備える。
【００７４】
評価感想情報サーバ装置７００は、図３の評価感想情報サーバ装置７００と同じ手段とを備える。映像コンテンツサーバ装置５００は、図３の映像コンテンツサーバ装置５００と同じ手段を備える。
【００７５】
映像コンテンツ途中再生手段１３５は、映像コンテンツ画面データを受信して、これから映像コンテンツ画面を生成して、再生表示する。評価一覧表示手段１７０は、記憶手段に保持されている評価データから、コンテンツ識別情報（たとえば、コンテンツＩＤ）と時刻情報（たとえば、タイムコード）と評価感想情報（たとえば、コメント文）をそれぞれ取得して、これらを評価再生ボタンに関連付けて、評価再生ボタンを含む評価一覧画面を作成して、表示する。指定画面送信要求手段１８０は、選択された評価再生ボタンに関連付けられたコンテンツ識別情報と時刻情報を取得して、これらを含む指定画面送信要求を作成して、これを送信して、映像コンテンツデータから作成した画面データを受信して、再生表示する。
【００７６】
指定画面送信要求受付手段３７５は、前記指定画面送信要求を受け付けて、これに含まれるコンテンツ識別情報を取得して、これを含む映像コンテンツ送信要求を作成して送信して、映像コンテンツデータの返信を受けて、これを保持する。映像コンテンツ画面データ作成手段３７０は、前記保持された映像コンテンツデータから時刻情報（たとえば、タイムコード）を含む映像コンテンツ画面データを作成して、保持する。指定画面データ送信手段３８０は、指定画面送信要求の時刻情報をキーにして、前記保持された映像コンテンツ画面データを参照して、前記キーと一致する時刻情報の映像コンテンツ画面データを送信する。
【００７７】
映像コンテンツ途中再生手段１３５と、評価一覧表示手段１７０と、指定画面送信要求手段１８０とは、評価感想情報参照型映像表示装置１００が内蔵するコンピュータプログラムである。指定画面送信要求受付手段３７５と、映像コンテンツ画面データ作成手段３７０と、指定画面データ送信手段３８０とは、閲覧サーバ装置３００が内蔵するコンピュータプログラムである。
【００７８】
図１２は、評価感想情報参照型映像表示装置（たとえば、コンテンツ再生プレイヤー）の評価一覧表示画面１００ｂの例である。評価一覧表示画面１００ｂは、映像コンテンツ静止画表示部１３０ｄと、評価感想情報表示部１５０ａとを備える。
【００７９】
映像コンテンツ静止画表示部１３０ｄは、最初に、予め指定された映像コンテンツの静止画（たとえば、代表的な画面）を表示する。
【００８０】
評価感想情報表示部１５０ａは、評価データのコメント文７９１ｅとコメント評価点７９１ｆと対応する評価画面再生ボタン１３０ｃとを含んだ評価一覧を表示する。評価画面再生ボタン１３０ｃは、このボタンに対応する評価データのタイムコード７９１ｄの時刻から映像画面を再生することを指示する。このとき、映像画面の再生にあたっては、図５の映像再生と評価感想情報表示画面の状態に、遷移する。
【００８１】
図１３は、評価感想情報参照型映像表示装置（たとえば、コンテンツ再生プレイヤー）の評価一覧表示画面１００ｂのグラフ表示の例である。評価一覧表示画面１００ｂは、映像コンテンツ静止画表示部１３０ｄと、評価感想情報表示部１５０ａとを備えるのは、図１２と同様である。
【００８２】
評価感想情報表示部１５０ａは、評価感想情報をグラフ図にて表示する。評価感想情報グラフの横軸は、時刻を表して、縦軸は、評価データの数を表す。グラフから、評価データの多い映像画面の位置が、一見して判断できる。グラフの所望の位置をカーソルで指定して、クリックすると、対応する横軸の時刻から、所定の画面が再生表示される。つまり、グラフをクリックすると、クリックした位置の時刻軸の値を取得して、これをキーにして、映像コンテンツデータ５９１から時刻情報を含む映像画面を生成して、前記キーと前記時刻情報が一致したら、映像画面を再生表示する。このとき、映像画面の再生にあたっては、図５の映像再生と評価感想情報表示画面の状態に、遷移する。
【００８３】
映像コンテンツ静止画表示部１３０ｄに、最初に、予め指定された映像コンテンツの静止画（たとえば、代表的な画面）を表示することは、図１２と同じである。
【００８４】
図１４は、評価感想情報を利用した映像コンテンツ閲覧システムの評価一覧表示の通信手順の説明図である。
【００８５】
対象コンテンツの閲覧権を有する閲覧者は、コンテンツ再生プレイヤー１００にて、評価一覧表示の閲覧を要求する（図１５（ア））。コンテンツ再生プレイヤー１００は、閲覧サーバ装置３００に、評価一覧表示の要求を行う（同（イ））。閲覧サーバ装置３００は、評価感想情報サーバ装置７００に対して対象映像のコンテンツＩＤを送り、評価一覧表示の要求を行う（同（ウ））。評価感想情報サーバ装置７００は、対象映像のコンテンツＩＤに紐づいた評価データ７９１を検索する（同（エ））。
【００８６】
評価感想情報サーバ装置７００は、閲覧サーバ装置３００に対して、検索された全ての評価データ７９１（または一部：ここで返信する評価データ７９１は、評価一覧で表示するために必要な情報のみでもかまわないし、格納されている全てのコメント文でもかまわない。）を返信する。評価一覧表示に含まれる情報は、たとえば、「コメントＩＤ＋タイムコード＋コメント文タイトル＋コメント文の一部（先頭から２０文字など）など」があげられる（同（オ））。閲覧サーバ装置３００は、コンテンツ再生プレイヤー１００に、評価感想情報サーバ装置７００より受け取った評価データ７９１を返信する（同（カ））。コンテンツ再生プレイヤー１００は、受け取った評価データ７９１を、評価一覧表示用に加工／生成し、評価一覧表示箇所に表示する（同（キ））。閲覧者は、表示された評価一覧表示を閲覧する（同（ク））。
【００８７】
閲覧者は、希望する画面を選択し、評価画面再生ボタン１３０ｃを押す（同（ケ））。コンテンツ再生プレイヤー１００は、閲覧サーバ装置３００に対して、要求を受けた対象画面の配信を要求する。この際に閲覧サーバ装置３００には要求された画面を特定するためのコメントＩＤを渡す（同（コ））。閲覧サーバ装置３００は、受け取ったコメントＩＤよりそれに紐づくコンテンツＩＤを映像コンテンツサーバ装置５００に送信し、対象コンテンツの配信を要求する（同（サ））。映像コンテンツサーバ装置５００は、受け取ったコンテンツＩＤを元に対象コンテンツを検索する（同（シ））。
【００８８】
映像コンテンツサーバ装置５００は、対象コンテンツを配信する。ここで配信する画面は、登録された画面部分のみであってもよいし、その画面の後も続けて配信するという形態でも良い（同（ス））。閲覧サーバ装置３００は、受け取ったコンテンツに対して、対象画面をコメントＩＤに紐づくタイムコードに基づいて導き出し、その画面をコンテンツ再生プレイヤー１００に配信する。また、再生している対象画面に紐づくコメント文を送信する。（同（ソ））。ここで、このコメント文を既にステップ（オ）にて、一部しか取得していない場合は、評価感想情報サーバ装置７００に対して、必要なコメント文を要求して、ステップ（ニ）に進む。
【００８９】
コンテンツ再生プレイヤー１００は、受け取った対象画面１３０ａを再生する。ここで、再生時間は、対象画面のみでも良いし、対象画面から初めて、そのままコンテンツを再生し続けてもかまわない（同（タ））。閲覧者は、対象画面１３０ａを閲覧する（同（チ））。
【００９０】
閲覧サーバ装置３００は、コメント文を評価感想情報サーバ装置７００に対して要求する（同（ニ））。評価感想情報サーバ装置７００は、対象映像のコメント文を検索する（同（ヌ））。評価感想情報サーバ装置７００は該当コメント文を返信する（同（ネ））。閲覧サーバ装置３００は再生しているコンテンツに対応したコメント文をコンテンツ再生プレイヤー１００に送信する（同（ノ））。コンテンツ再生プレイヤー１００は受け取ったコメント文を、再生している映像コンテンツと共に、コメント文表示部１５０ａに表示する（同（ハ））。閲覧者は、コメント文リストを閲覧する（同（ヒ））。
【００９１】
図１５は、評価感想情報参照型映像表示装置の評価一覧表示処理のフローチャートである。
（１）評価感想情報送信要求処理は、図７のステップＳ１３０と同じ。（ステップＳ３００）
（２）評価データ受信処理は、図７のステップＳ１４０と同じ。（ステップＳ３１０）
（３）評価一覧表示手段１７０は、前記保持された評価データ７９１からコンテンツＩＤ７９１ａとタイムコード７９１ｄとコメント文７９１ｅを取得して、これらを評価画面再生ボタン１３０ｃに関連付けて、評価画面再生ボタン１３０ｃを含む評価一覧画面を作成して、表示１５０ａする。（ステップＳ３２０）
（４）閲覧者は、評価感想情報参照型映像表示装置の評価一覧画面から評価画面再生ボタン１３０ｃを選択して、押す。（ステップＳ３３０）
（５）指定画面送信要求手段１８０は、選択された評価画面再生ボタン１３０ｃに関連付けられたコンテンツ識別情報と時刻情報を取得して、これらを含む指定画面送信要求を作成して、これを閲覧サーバ装置３００に送信する。（ステップＳ３４０）
（６）映像コンテンツ途中再生手段１３５は、前記指定画面送信要求の時刻情報の映像コンテンツ画面データを、閲覧サーバ装置３００から受信する。（ステップＳ３５２）
（７）前記映像コンテンツ途中再生手段１３５は、前記受信した映像コンテンツ画面データから映像コンテンツ画面を生成して、これを再生表示１３０ａする。（ステップＳ３６０）
【００９２】
図１６は、閲覧サーバ装置の評価一覧表示処理のフローチャートである。
（１）評価感想情報送信要求中継処理は、図８のステップＳ１４０と同じ。（ステップＳ３０２）
（２）評価データ中継処理は、図８のステップＳ１３６と同じ。（ステップＳ３０６）
（３）指定画面送信要求受付手段３７５は、前記指定画面送信要求を受け付けて、これに含まれるコンテンツ識別情報を取得して、これを含む映像コンテンツ送信要求を作成して、映像コンテンツサーバ装置５００に送信する（ステップＳ３４２）
（４）指定画面送信要求受付手段３７５は、映像コンテンツサーバ装置５００から、映像コンテンツデータ５９１の返信を受けて、これを保持する。（ステップＳ３４６）
（５）映像コンテンツ画面データ作成手段３７０は、前記保持された映像コンテンツデータ５９１から時刻情報を含む映像コンテンツ画面データを作成して、保持する。（ステップＳ３４８）
（６）指定画面データ送信手段３８０は、指定画面送信要求の時刻情報をキーにして、前記保持された映像コンテンツ画面データを参照して、前記キーと一致する時刻情報の映像コンテンツ画面データを評価感想情報参照型映像表示装置１００に送信する。（ステップＳ３５０）
【００９３】
このように、多数のコメント文が登録されている部分が、その映像コンテンツにおける最も注目すべき部分であると即時に判断でき、その画面を直接、閲覧・再生することが可能となる。従って、映像コンテンツの映像画面全てを閲覧することなく、興味ある部分だけを選択して、効率的に映像コンテンツを閲覧することができる。
【００９４】
閲覧サーバ装置を使用しない映像コンテンツ閲覧システムについて説明する。
（変形例２）
図１７は、閲覧サーバ装置を使用しない簡易な評価感想情報参照式映像コンテンツ閲覧システム２の概念図である。簡易な評価感想情報参照式映像コンテンツ閲覧システム２は、評価感想情報参照型映像表示装置１００と、映像コンテンツサーバ装置５００と、評価感想情報サーバ装置７００とが、ネットワーク９００で接続されて構成される。
【００９５】
映像コンテンツサーバ装置５００は、評価感想情報サーバ装置７００の所在情報（たとえば、ＵＲＬ）を含んだ映像コンテンツデータ５９１を記憶する。評価感想情報サーバ装置７００は、図１と同様に、評価データ７９１を記憶する。評価感想情報参照型映像表示装置１００は、映像コンテンツサーバ装置５００から、評価感想情報サーバ装置７００の所在情報（たとえば、ＵＲＬ）を含んだ映像コンテンツデータ５９１とを取得して、映像コンテンツを再生表示する。評価感想情報参照型映像表示装置１００は、映像コンテンツの評価データ７９１を取得して、映像コンテンツ画面に対応した評価データ７９１を選択して、再生画面に同期させて表示する。閲覧者が、再生表示中の映像コンテンツ画面の評価感想情報を入力すると、評価感想情報参照型映像表示装置１００は、映像コンテンツ画面に対応付けられた評価データ７９１を作成して、評価感想情報サーバ装置７００に登録する。
【００９６】
映像コンテンツサーバ装置５００の手段の構成は、図３の映像コンテンツサーバ装置５００と同じである。
記憶手段５９０は、コンテンツＩＤを含む映像コンテンツデータ５９１を記憶する。
映像コンテンツデータ返信手段５２０は、前記映像コンテンツ送信要求を受け付けて、これに含まれるコンテンツ識別情報をキーにして、映像コンテンツデータベース５９３を参照して、前記キーと一致するコンテンツ識別情報の映像コンテンツデータ５９１を取得して、評価感想情報サーバ装置７００の所在情報（たとえば、ＵＲＬ）を含んだ映像コンテンツデータ５９１を作成して、返信する。
その他の手段の働きは、図３の映像コンテンツサーバ装置５００の手段と同じである。
【００９７】
評価感想情報参照型映像表示装置１００の手段の構成は、図３の評価感想情報参照型映像表示装置１００と同じである。映像コンテンツ受信手段１２０は、コンテンツＩＤを含む映像コンテンツ送信要求を作成して、映像コンテンツサーバ装置５００に発行して、評価感想情報サーバ装置７００の所在情報（たとえば、ＵＲＬ）を含んだ映像コンテンツデータ５９１を受信する。評価データ受信手段１４０は、コンテンツＩＤを含む評価感想情報送信要求を作成して、前記評価感想情報サーバ装置の所在情報（たとえば、ＵＲＬ）に送信して、評価感想情報サーバ装置７００から該当する全ての評価データ７９１を受信する。評価データ作成手段１６０は、閲覧者が入力した評価感想情報（たとえば、コメント文）と、再生表示している映像コンテンツ画面の時刻情報と、コンテンツ識別情報とを含んだ評価データを作成して、この評価データを含む評価データ登録要求を前記評価感想情報サーバ装置の所在情報（たとえば、ＵＲＬ）に送信して、前記送信した評価データを含む登録完了応答の返信を受けて、これに含まれる評価データを表示する。
【００９８】
評価感想情報サーバ装置７００の手段の構成と働きは、図３の評価感想情報サーバ装置７００と同じである。
【００９９】
映像コンテンツサーバ装置５００と評価感想情報参照型映像表示装置１００と評価感想情報サーバ装置７００の手段の実現方法は、図３の映像コンテンツサーバ装置５００と評価感想情報参照型映像表示装置１００と評価感想情報サーバ装置７００と同じである。
【０１００】
なお、評価感想情報参照型映像表示装置１００における評価データ７９１の取得と登録は、映像コンテンツサーバ装置５００経由でも、同様の効果が得られる。
【０１０１】
そのほかの変形例を説明する。（キーワード抽出した評価一覧を表示する例を、図１９にて説明する。）一覧表示の閲覧者が、任意のキーワードを入力して、これを元にコメント文を検索して、一致したコメント文を抽出して、一覧表示する。（ダイジェスト再生する例を、図２０にて説明する。）選択した複数のコメント文を元に、そのコメント文に対応付けられた画面を接続することで、映像コンテンツのダイジェストを作成して再生する。
【０１０２】
閲覧サーバ装置主導による映像コンテンツ閲覧システム３を説明する。閲覧サーバ装置主導による映像コンテンツ閲覧システム３においては、閲覧サーバ装置３００が、表示用のデータ（映像コンテンツ再生のストリーミングデータや評価感想情報の表示データ）を作成して、評価感想情報参照型映像表示装置１００が、これらの表示用のデータを受信して表示する。
（変形例３）
図１８は、閲覧サーバ装置主導型映像コンテンツ閲覧システム３の構成図である。閲覧サーバ装置主導型映像コンテンツ閲覧システム３は、映像コンテンツを閲覧する評価感想情報参照型映像表示装置１００と、閲覧サーバ装置３００と評価感想情報サーバ装置７００と、映像コンテンツサーバ装置５００と、がネットワークで接続されて構成される。
【０１０３】
評価感想情報参照型映像表示装置１００は、コメント参照型ブラウザ１１０を備える。前記コメント参照型ブラウザ１１０は、評価感想情報表示手段１５０と、映像コンテンツ再生手段１３０と、検索一覧表示手段１１６と、評価データ作成手段１６０と、評価画面指定手段１６２と、指定画面送信要求手段１８０と、から構成されている。
【０１０４】
前記コメント参照型ブラウザ１１０は、所定のデータを、閲覧サーバ装置３００と、送受信して、表示する。評価感想情報表示手段１５０は、コンテンツ識別情報を含む評価感想情報送信要求を発行して、評価感想情報表示データを受信して、表示する。あるいは、評価感想情報表示手段１５０は、閲覧者が入力した選択条件とコンテンツ識別情報を受け付けて、これを含んだ評価感想情報送信要求を発行して、評価感想情報表示データを受信して、表示する。映像コンテンツ再生手段１３０は、コンテンツ識別情報を含む映像コンテンツ送信要求を発行して、映像コンテンツ再生データを受信して、表示する。検索一覧表示手段１１６は、閲覧者が入力したキーワードを受け付けて、これを含んだ検索一覧表示要求を発行して、評価データを含む検索一覧表示データを受信して、表示する。指定画面送信要求手段１８０は、評価データのコンテンツ識別情報と時刻情報を含む指定画面送信要求を発行する。
【０１０５】
評価画面指定手段１６２は、閲覧者が入力した時刻情報とコンテンツ識別情報を含んだ評価画面指定情報を受け付けて、これを保持する。評価データ作成手段１６０は、閲覧者が入力した評価感想情報を受け付けて、これと、前記保持した評価画面指定情報を含んだ評価データ登録要求を、前記閲覧サーバ装置に送信する。または、評価データ作成手段１６０は、閲覧者が入力した評価感想情報を受け付けて、これを含んだ評価データ登録要求を、前記閲覧サーバ装置に送信する。
【０１０６】
コメント参照型ブラウザ１１０と、評価感想情報表示手段１５０と、映像コンテンツ再生手段１３０と、検索一覧表示手段１１６と、評価データ作成手段１６０と、評価画面指定手段１６２と、指定画面送信要求手段１８０と、は、コンピュータプログラムである。
【０１０７】
閲覧サーバ装置３００は、映像コンテンツ再生データ送信手段３５２と、評価感想情報表示データ送信手段３５４と、検索一覧表示データ送信手段３５６と、指定画面送信要求受付手段３７５と、記憶手段３９０と、を備える。記憶手段３９０は、評価データと、映像コンテンツデータと、を記憶する。
【０１０８】
評価データ７９１は、時刻情報とコンテンツ識別情報とを含むデータである。映像コンテンツデータ５９１は、コンテンツ識別情報を含むデータである。
【０１０９】
映像コンテンツ再生データ送信手段３５２は、前記映像コンテンツ送信要求を受け付けて、これを転送して、映像コンテンツデータの返信を受けて、映像コンテンツ画面を再生表示させる映像コンテンツ再生データを作成して送信する。評価感想情報表示データ送信手段３５４は、前記評価感想情報送信要求を受け付けて、これを転送して、評価データ群の返信を受けて、再生表示される映像コンテンツ画面に同期して、この画面に対応する評価データを選択して、評価感想情報表示データを作成して送信する。検索一覧表示データ送信手段３５６は、検索一覧表示要求を受け付けて、これを転送して、評価データ群の返信を受けて、検索一覧表示データを作成して送信する。
【０１１０】
指定画面送信要求受付手段３７５は、指定画面送信要求を受け付けて、この映像コンテンツ再生画面指示の時刻情報に一致する時刻情報から所定の時間だけ、または、この映像コンテンツ再生画面指示の時刻情報を挟む所定の時間だけ、再生表示される映像コンテンツ再生データを作成して送信する。
【０１１１】
映像コンテンツ再生データ送信手段３５２と、評価感想情報表示データ送信手段３５４と、検索一覧表示データ送信手段３５６と、指定画面送信要求受付手段３７５と、は、コンピュータプログラムである。記憶手段３９０は、メモリーである。評価データ７９１と、映像コンテンツデータ５９１と、は、コンピュータ可読のデータである。
【０１１２】
映像コンテンツサーバ装置５００は、図３の映像コンテンツサーバ装置５００と同じ手段を備える。評価感想情報サーバ装置７００は、評価データ返信手段７４０と、図３の評価感想情報サーバ装置７００と同じ手段と、を備える。
【０１１３】
評価感想情報サーバ装置７００の評価データ返信手段７４０は、検索一覧表示要求を受け付けて、これに含まれるキーワードを用いて、評価感想情報データベース７９３を検索して、検索一覧表示要求に対応する評価データ群を選択して、送信する。その他の手段は、図３の評価感想情報サーバ装置７００の手段と同じである。
【０１１４】
評価データ返信手段７４０は、コンピュータプログラムである。評価感想情報データベース７９３は、コンピュータ可読のデータである。
【０１１５】
ここで、閲覧サーバ装置主導型映像コンテンツ閲覧システム３における、キーワード抽出した評価一覧を表示する画面例を説明する。この画面表示例は、閲覧サーバ装置主導型映像コンテンツ閲覧システム３に限定されることはなく、映像コンテンツ閲覧システム１や、映像コンテンツ閲覧システム２で用いても良い。
【０１１６】
図１９は、評価感想情報参照型映像表示装置の表示画面の例である。表示画面は、評価感想情報表示部１５０ａと、映像コンテンツ画面再生部１３０ａと、コメント検索一覧表示部１１６ａと、を備えたインターネットブラウザ１１０ｂ（コメント参照型ブラウザ１１０）により、構成される。評価感想情報表示部１５０ａは、受信した評価感想情報表示データからコメント文を生成して、表示する。フィルタリング設定部１１２ｂは、評価感想情報表示部１５０ａに表示されるコメント文の選択条件を入力する。映像コンテンツ画面再生部１３０ａは、受信した映像コンテンツ再生データ５９１から画面を生成して、再生表示する。映像コンテンツ再生ボタンは、映像コンテンツの表示状態を制御（動画再生・静止・終了など）する。コメント検索一覧表示部１１６ａは、検索語入力部とコメント検索ボタン１１６ｂとを備える。コメント検索一覧表示部１１６ａは、検索語入力部の検索語を用いて検索した検索一覧表示データからコメントの一覧を生成して、表示する。コメントの一覧は、静止画／コメントのタイトル／面白さ評価点／コメント文などから構成される。静止画部分をクリックすると、映像が再生される。ダイレクト再生ボタン１１８ｂは、全ての検索一覧されたコメントの映像を再生する。（詳細は後述する。）
【０１１７】
コメント登録ボタン１６０ａは、これを押すことで、コメント文入力部１５０ｂを表示させる。シーンマークボタン１６０ｂは、これを押されたときの映像コンテンツの時刻情報を保持する。なお、コメント文入力部１５０ｂは、閲覧者がコメント文を作成して、入力ボタン１５０ｃを押すことで、入力される。
【０１１８】
図２０は、ダイレクト再生の処理手順の説明図である。ダイレクト再生とは、検索一覧表示画面１１６ａに一覧表示されている全ての評価感想情報の再生画面を順々に再生していく方法である。検索一覧表示画面１１６ａには、キーワードで検索した評価感想情報（コメント文など）が一覧表示されているので、ダイレクト再生ボタン１１８ｂを押す（図２０（１））。評価感想情報参照型映像表示装置１００は、検索一覧表示画面１１６ａに一覧表示されている全てのコメント文の時刻情報とコンテンツ識別情報を、閲覧サーバ装置３００に送信する（同（２））。閲覧サーバ装置３００は、全てのコメント文の時刻情報の映像コンテンツ再生データを作成して、順々に配信する（同（３））。評価感想情報参照型映像表示装置１００は、受信した全ての映像コンテンツ再生データを順々に再生する（同（４））。
【０１１９】
なお、各コメント文と映像コンテンツの同期の取り方は、コメント文の時刻情報を映像コンテンツの再生開始時間にしてもよいし、または、この時刻情報を挟むようにして再生（たとえば、コメント文の時刻情報の前後１０秒間を再生）してもよい。
【０１２０】
図２０には、「シーン１」のコメント文と、「シーン２」のコメント文と、「シーン３」のコメント文と、「シーン４」のコメント文と、が一覧表示されている場合に、ダイレクト再生ボタン１８８ｂを押すことで、「シーン１」、「シーン２」、「シーン３」、「シーン４」が順々に再生される様子が例示されている。なお、前記の各「シーン」は、所定の時間再生される映像コンテンツである。
【０１２１】
なお、変形例３の表示画面は、他の実施例（映像コンテンツ閲覧システム１、映像コンテンツ閲覧システム１の変形例１、映像コンテンツ閲覧システム２＝変形例２）で用いても良い。なお、このときには、映像コンテンツ閲覧システム１や映像コンテンツ閲覧システム２の評価感想情報参照型映像表示装置１００と閲覧サーバ装置３００とは、映像コンテンツ閲覧システム３の評価感想情報参照型映像表示装置１００が備える検索一覧表示手段１１６と評価画面指定手段１６２と、閲覧サーバ装置３００が備える検索一覧表示データ送信手段３５６と指定画面送信要求手段１８０と指定画面送信要求受付手段３７５とをそれぞれ、備える。
【０１２２】
図２１は、閲覧サーバ装置主導型映像コンテンツ閲覧システム３における評価感想情報を表示する通信手順の説明図である。
【０１２３】
図２１（ア））から（同（オ）は、図６の（ア）から（オ）までと、同じである。
【０１２４】
閲覧サーバ装置３００は該当コンテンツ再生データを配信（ストリーミング）する（同（カ））。コンテンツ再生プレイヤー１００は、受け取ったコンテンツ再生データを再生する（同（キ））。閲覧者は、コンテンツを閲覧する（同（ク））。
【０１２５】
図２１（ケ））から（同（ス）は、図６の（ケ）から（ス）までと、同じである。
【０１２６】
閲覧サーバ装置３００は、評価感想情報サーバ装置７００から受け取った評価データ７９１から、評価感想情報表示データを作成して、再生中のコンテンツのタイムコードに従って、その都度、送信する（同（ソ））。なお、評価データ７９１には、「コメントID」、「コメント文」、「表示開始タイムコード」、「表示終了タイムコード」、「コメント記入者ID」などが含まれる。
【０１２７】
コンテンツ再生プレイヤー１００は、受け取った評価感想情報表示データを表示する（同（タ））。閲覧者は、表示された評価感想情報を閲覧する（同（ナ））。
【０１２８】
なお、評価感想情報の表示方法は、時刻情報に合わせて、新しい評価感想情報を、古い評価感想情報の下に、次々と表示させる。または、古い評価感想情報を消して、その上に、新しい評価感想情報を表示させてもよい。また、評価感想情報の表示時間は、予め指定（たとえば、サービス提供者によって、予め指定する。）しても良い。或いは、評価データ７９１の登録のときに表示時間を設定してもよい。或いは、表示時間を設定しなくてもよい。
【０１２９】
従って、映像コンテンツ閲覧システム３の評価感想情報参照型映像表示装置１００におけるデータ表示処理負荷が、映像コンテンツ閲覧システム１や、映像コンテンツ閲覧システム２の評価感想情報参照型映像表示装置１００と比較すると、大幅に軽減される。同様に、映像コンテンツ閲覧システム３の閲覧サーバ装置３００から評価感想情報参照型映像表示装置１００への映像コンテンツや評価感想情報データの送信量が削減されて、通信負荷が大幅に軽減される。
【０１３０】
以上詳しく説明したように、本発明によれば、閲覧者は、映像コンテンツの再生画面に対応した評価感想情報を閲覧して、他の閲覧者の感想や意見を参考にすることで、映像コンテンツをより充実して鑑賞することが可能になった。同時に、閲覧者は、閲覧した映像コンテンツの評価情報や感想情報を登録して、他の閲覧者に、情報を提供することが可能になった。また、評価感想情報を閲覧して、映像コンテンツの画面を選択して再生することにより、映像コンテンツを効率的に鑑賞することが可能になった。
【図面の簡単な説明】
【０１３１】
【図１】本発明による評価感想情報を利用した映像コンテンツ閲覧システムの全体構成図
【図２】評価感想情報を利用した映像コンテンツ閲覧システムの大まかな処理の流れ
【図３】評価感想情報を利用した映像コンテンツ閲覧システムの構成図
【図４】評価データの形式と例
【図５】評価感想情報参照型映像表示装置の映像再生と評価感想情報表示画面
【図６】評価感想情報を利用した映像コンテンツ閲覧システムの評価感想情報表示の通信手順
【図７】評価感想情報参照型映像表示装置の評価感想情報表示処理のフローチャート
【図８】閲覧サーバ装置の評価感想情報表示処理のフローチャート
【図９】評価感想情報を利用した映像コンテンツ閲覧システムの評価感想情報登録の通信手順
【図１０】評価感想情報を利用した映像コンテンツ閲覧システムの評価感想情報登録処理のフローチャート
【図１１】変形例１  評価感想情報一覧表示による映像コンテンツ閲覧システムの構成図
【図１２】変形例１  評価感想情報一覧表示画面１
【図１３】変形例１  評価感想情報をグラフ表示した画面の例
【図１４】変形例１  評価感想情報一覧表示の通信手順  シーケンス
【図１５】変形例１  評価感想情報参照型映像表示装置の評価感想情報一覧表示処理のフローチャート
【図１６】変形例１  閲覧サーバ装置の評価感想情報一覧表示処理のフローチャート
【図１７】変形例２  閲覧サーバ装置を使用しない簡易な評価感想情報参照式映像コンテンツ閲覧システムの概念図
【図１８】変形例３  閲覧サーバ装置主導型の映像コンテンツ閲覧システムの詳細な構成図
【図１９】変形例３  再生映像と評価感想情報を表示する画面例
【図２０】変形例３  ダイレクト再生画面の説明図
【図２１】変形例３  閲覧サーバ装置主導型の評価感想情報表示の通信手順
【符号の説明】
【０１３２】
１  評価感想情報を利用した映像コンテンツ閲覧システム
１００  評価感想情報参照型映像表示装置、コンテンツ再生プレイヤー
１００ｂ  評価一覧表示画面
１１０  コメント参照型ブラウザ
１１０ｂ  インターネットブラウザ
１１２ｂ  フィルタリング設定部
１１６  検索一覧表示手段
１１６ａ  コメント検索一覧表示部、検索一覧表示画面
１１８ｂ  ダイレクト再生ボタン
１６０  評価データ作成手段
１６０ａ  コメント登録ボタン
１６０ｂ  シーンマークボタン
１６２  評価画面指定手段
１２０  映像コンテンツ受信手段
１３０  映像コンテンツ再生手段
１３０ａ  映像コンテンツ画面再生部
１３０ｂ  再生ボタン
１３０ｃ  評価画面再生ボタン
１３０ｄ  映像コンテンツ静止画表示部
１３５  映像コンテンツ途中再生手段
１４０  評価データ受信手段
１５０  評価感想情報表示手段
１５０ａ  評価感想情報表示部
１５０ｂ  コメント文入力部
１５０ｃ  入力ボタン
１６０  評価データ作成手段
１３５  映像コンテンツ途中再生手段
１７０  評価データ一覧表示手段
１８０  指定画面送信要求手段
１１６ｂ  検索語入力部とコメント検索ボタン
１９０  記憶手段
３００  閲覧サーバ装置
３２０  映像コンテンツデータ中継手段
３４０  評価データ中継手段
３５２  映像コンテンツ再生データ送信手段
３５４  評価感想情報表示データ送信手段
３５６  検索一覧表示データ送信手段
３９０  記憶手段
３６０  評価データ登録転送手段
３７５  指定画面送信要求受付手段
３７０  映像コンテンツ画面データ作成手段
３８０  指定画面データ送信手段
５００  映像コンテンツサーバ装置
５２０  映像コンテンツデータ返信手段
５９０  記憶手段
５９３  映像コンテンツデータベース
５９１  映像コンテンツデータ
７００  評価感想情報サーバ装置
７４０  評価データ返信手段
７６０  評価データ登録手段
７９０  記憶手段
７９１  評価データ
７９１ａ  コメントＩＤ
７９１ｂ  コンテンツＩＤ
７９１ｃ  会員ＩＤ
７９１ｄ  タイムコード
７９１ｅ  コメント文
７９１ｆ  コメント評価点
７９３  評価感想情報データベース
９００  ネットワーク
【図１】
2007151057.tif 000003
【図２】
2007151057.tif 000004
【図３】
2007151057.tif 000005
【図４】
2007151057.tif 000006
【図５】
2007151057.tif 000007
【図６】
2007151057.tif 000008
【図７】
2007151057.tif 000009
【図８】
2007151057.tif 000010
【図９】
2007151057.tif 000011
【図１０】
2007151057.tif 000012
【図１１】
2007151057.tif 000013
【図１２】
2007151057.tif 000014
【図１３】
2007151057.tif 000015
【図１４】
2007151057.tif 000016
【図１５】
2007151057.tif 000017
【図１６】
2007151057.tif 000018
【図１７】
2007151057.tif 000019
【図１８】
2007151057.tif 000020
【図１９】
2007151057.tif 000021
【図２０】
2007151057.tif 000022
【図２１】
2007151057.tif 000023